(57)【要約】【課題】記録媒体がセキュリティモードである場合に、記録装置の電源オフが指示されても、直前に撮影した映像を再生することができる技術を提供することである。【解決手段】映像を記録媒体へ記録する記録装置であって、記録装置に装着されている記録媒体がセキュリティモードであるか否かを判定する判定手段と、記録装置の電源オフが指示されたことに応じて、記録媒体への電源供給を停止させるように制御する制御手段と、を有し、制御手段は、判定手段により記録媒体がセキュリティモードであると判定された場合に、記録装置の電源オフが指示されたとしても、記録媒体への電源供給を継続するように制御する記録装置が提供される。【選択図】図２
2020136940.tif 000002
【特許請求の範囲】
【請求項１】
映像を記録媒体へ記録する記録装置であって、
前記記録装置に装着されている記録媒体がセキュリティモードであるか否かを判定する判定手段と、
前記記録装置の電源オフが指示されたことに応じて、前記記録媒体への電源供給を停止させるように制御する制御手段と、を有し、
前記制御手段は、前記判定手段により前記記録媒体がセキュリティモードであると判定された場合に、前記記録装置の電源オフが指示されたとしても、前記記録媒体への電源供給を継続するように制御することを特徴とする記録装置。
【請求項２】
前記制御手段は、前記判定手段により前記記録媒体がセキュリティモードであると判定され、かつ、前記記録媒体へ映像を記録した場合に、前記記録装置の電源オフが指示されたとしても、前記記録媒体への電源供給を継続するように制御することを特徴とする請求項１に記載の記録装置。
【請求項３】
前記制御手段は、前記判定手段により前記記録媒体がセキュリティモードであると判定されても、前記記録媒体への映像の記録を行っていない場合は、前記記録装置の電源オフが指示されたことに応じて前記記録媒体への電源供給を停止させるように制御することを特徴とする請求項２に記載の記録装置。
【請求項４】
前記記録装置は電源オフを指示するための電源スイッチを有することを特徴とする請求項１に記載の記録装置。
【請求項５】
前記電源スイッチは、前記記録装置の電源をオフにするための第１の位置、前記記録装置を記録モードで動作させるための第２の位置、前記記録装置を再生モードで動作させるための第３の位置に移動可能であり、
前記制御手段は、前記電源スイッチが、前記記録装置の電源をオフにするための第１の位置に移動されたとしても、前記記録媒体がセキュリティモードであると判定された場合は、前記記録媒体への電源供給を継続することを特徴とする請求項４に記載の記録装置。
【請求項６】
前記第１の位置は、前記第２の位置と前記第３の位置の間の位置であることを特徴とする請求項５に記載の記録装置。
【請求項７】
前記電源スイッチへの操作とは異なるユーザ操作により前記記録装置の電源オフが指示された場合は、前記制御手段は、前記記録媒体への電源供給を停止させるように制御することを特徴とする請求項６に記載の記録装置。
【請求項８】
レンズを介して入力された映像を撮像する撮像部と、
レンズを着脱可能な装着部と、
前記装着部からレンズが取り外されたことに応じて、前記記録装置の電源オフを自動的に指示する指示手段と、を有することを特徴とする請求項１に記載の記録装置。
【請求項９】
前記制御手段は、前記記録媒体が前記記録装置から取り外された場合に、前記記録媒体への電源供給を停止させるように制御することを特徴とする請求項１〜８のいずれか１項に記載の記録装置。
【請求項１０】
前記制御手段は、前記記録装置の電源オフが指示されてから所定の時間が経過した場合に、前記記録媒体への電源供給を停止させるように制御することを特徴とする請求項１〜９のいずれか１項に記載の記録装置。
【請求項１１】
前記制御手段は、前記記録媒体に再生できる映像が存在しない場合には、前記記録装置の電源オフが指示されたことに応じて、前記記録媒体への電源供給を停止させるように制御することを特徴とする請求項１〜１０のいずれか１項に記載の記録装置。
【請求項１２】
前記制御手段は、前記記録媒体に記録されている映像を削除し、前記記録媒体に再生できる映像が残っていない場合には、前記記録装置の電源オフが指示されたことに応じて、前記記録媒体への電源供給を停止させるように制御することを特徴とする請求項１〜１１のいずれか１項に記載の記録装置。
【請求項１３】
前記制御手段は、外部機器の通信により前記記録装置の電源オフが指示された後、前記外部機器の通信により前記記録装置の電源オンが指示可能でない場合には、前記記録媒体への電源供給を停止させるように制御することを特徴とする請求項１〜１２のいずれか１項に記載の記録装置。
【請求項１４】
前記制御手段は、２ポジションスイッチ、タクトスイッチまたはトグルスイッチにより前記記録装置の電源オフが指示された場合には、前記記録媒体への電源供給を停止させるように制御することを特徴とする請求項１〜１３のいずれか１項に記載の記録装置。
【請求項１５】
映像を記録媒体へ記録する記録装置の制御方法であって、
前記記録装置に装着されている記録媒体がセキュリティモードであるか否かを判定する判定ステップと、
前記記録装置の電源オフが指示されたことに応じて、前記記録媒体への電源供給を停止させるように制御する制御ステップと、を有し、
前記制御ステップでは、前記判定ステップで前記記録媒体がセキュリティモードであると判定された場合に、前記記録装置の電源オフが指示されたとしても、前記記録媒体への電源供給を継続するように制御することを特徴とする記録装置の制御方法。
【請求項１６】
コンピュータを、請求項１〜１４のいずれか１項に記載された記録装置の各手段として機能させるためのプログラム。
【発明の詳細な説明】
【技術分野】
【０００１】
本発明は、記録装置、記録装置の制御方法およびプログラムに関する。
【背景技術】
【０００２】
ビデオカメラは、持ち運び可能なメモリカードなどの記録媒体に映像を記録することができる。記録媒体の紛失や盗難にあった場合、それを取得した第三者による、インターネットなどへ映像が流出するリスクが課題である。
【０００３】
映像流出の課題に対して、読み出しデータを無効にするセキュリティモードを設定可能な記録媒体が知られている（特許文献１参照）。セキュリティモードの記録媒体は、正常に記録された映像ファイルでも、固定値（例えば０ｘＦＦ）として読み出される。この記録媒体は、セキュリティモードのまま映像の追記が可能であり、追記された映像ファイルは、正しく読み出すことができる。ただし、記録媒体をビデオカメラから取り外して再装着すると、記録媒体への電源が一旦途切れ、映像ファイルは固定値として読み出される。このセキュリティモードは、スマートフォンから近距離無線通信（ＮＦＣ）を用いて、メモリカードなどの記録媒体に対し、設定や解除が可能である。
【先行技術文献】
【特許文献】
【０００４】
【特許文献１】特開２０１７‐１４６９８９号公報
【発明の概要】
【発明が解決しようとする課題】
【０００５】
しかし、レンズ交換式カメラでは、取扱説明書で、レンズの取り外し時に、電源をオフにするように指定されている場合がある。また、電源のオンが撮影モードと再生モードに別れ、その間に電源のオフを経由するスイッチを備えるカメラがある。このカメラでは、撮影モードから再生モードへのスイッチ操作を素早く行わないと、一旦電源がオフになってしまう。カメラの電源をオフにした場合、記録媒体への電源供給は途切れてしまう。このようなカメラにおいて、記録媒体がセキュリティモードの場合、直前に撮影した映像を再生することができなくなるので使い勝手が悪い。
【０００６】
本発明の目的は、記録媒体がセキュリティモードである場合に、記録装置の電源オフが指示されても、直前に撮影した映像を再生することができる技術を提供することである。
【課題を解決するための手段】
【０００７】
本発明の一観点によれば、映像を記録媒体へ記録する記録装置であって、前記記録装置に装着されている記録媒体がセキュリティモードであるか否かを判定する判定手段と、前記記録装置の電源オフが指示されたことに応じて、前記記録媒体への電源供給を停止させるように制御する制御手段と、を有し、前記制御手段は、前記判定手段により前記記録媒体がセキュリティモードであると判定された場合に、前記記録装置の電源オフが指示されたとしても、前記記録媒体への電源供給を継続するように制御する記録装置が提供される。
【発明の効果】
【０００８】
本発明によれば、記録媒体がセキュリティモードである場合に、記録装置の電源オフが指示されても、直前に撮影した映像を再生することができる。
【図面の簡単な説明】
【０００９】
【図１】カメラのハードウェア構成例を示すブロック図である。
【図２】カメラの制御方法を示すフローチャートである。
【図３】カメラの制御方法を示すフローチャートである。
【図４】カメラの電源スイッチの構成例を示す図である。
【発明を実施するための形態】
【００１０】
図１は、本発明の実施形態に係るカメラ１００のハードウェア構成例を示すブロック図である。カメラ１００は、記録装置であり、レンズユニット１０２に接続される。カメラ１００は、バス１０１と、イメージセンサ１０３と、前処理部１０４と、ＲＡＷ処理部１０５と、画像生成部１０６と、操作部１０７と、制御部１０８と、ＲＡＭ１０９とを有する。さらに、カメラ１００は、ＤＲＡＭ１１０と、ＲＯＭ１１１と、装着部１１２と、ＯＳＤ部１１３と、動画像圧縮部１１４と、メディア制御部１１５と、記録媒体１１６と、通信制御部１１７と、通信部１１８とを有する。
【００１１】
バス１０１は、カメラ１００の各ブロックがデータの入出力するためのデータバスである。カメラ１００の各ブロックは、バス１０１を介して、データを入出力する。
【００１２】
レンズユニット１０２は、集光のための固定レンズ群、変倍レンズ群、絞り、および、変倍レンズ群の動きで移動した結像位置を補正する機能と焦点調節を行う機能とを兼ね備えた補正レンズ群を有する。レンズユニット１０２は、イメージセンサ１０３の結像面上に被写体像を結像させる。
【００１３】
イメージセンサ１０３は、光を電荷に変換し、撮像信号を生成し、生成した撮像信号を前処理部１０４へ出力する。イメージセンサ１０３は、例えばＣＣＤイメージセンサやＣＭＯＳイメージセンサなどであり、レンズユニット１０２を介して入力された映像を撮像する撮像部である。なお、イメージセンサ１０３は、撮像面上の全ての画素がそれぞれ一対の受光素子により構成され、各画素がマイクロレンズにより形成された一対の光学像を一対の受光素子により光電変換する、いわゆるデュアルピクセルタイプのものを用いてもよい。
【００１４】
前処理部１０４は、イメージセンサ１０３により生成された撮像信号を、ＲＡＷ処理部１０５が処理することができるＲＡＷデータ（ＲＡＷ画像）に変換し、ＲＡＷデータをＲＡＷ処理部１０５に出力する。
【００１５】
ＲＡＷ処理部１０５は、前処理部１０４により生成されたＲＡＷデータをＤＲＡＭ１１０に格納する。
【００１６】
画像生成部１０６は、ＲＡＷ処理部１０５が格納したＲＡＷデータに対して補間処理や画質調整処理等のＲＡＷ現像処理を行って、ＲＡＷデータに対応したＹＵＶ形式の映像を生成し、ＹＵＶ形式の映像をＤＲＡＭ１１０に格納する。
【００１７】
操作部１０７は、ユーザが操作入力するためのものであり、例えばタッチパネルや操作キー（ボタン、ダイヤル、レバー等）などである。ユーザが操作部１０７を操作すると、操作部１０７は、操作情報を制御部１０８に出力する。
【００１８】
制御部１０８は、ＣＰＵ（Ｃｅｎｔｒａｌ  Ｐｒｏｃｅｓｓｉｎｇ  Ｕｎｉｔ）を有し、カメラ１００が備える各ブロックを制御する。
【００１９】
ＲＡＭ（Ｒａｎｄｏｍ  Ａｃｃｅｓｓ  Ｍｅｍｏｒｙ）１０９は、制御部１０８が作業領域として使用する揮発性メモリである。
【００２０】
ＤＲＡＭ（Ｄｙｎａｍｉｃ  Ｒａｎｄｏｍ  Ａｃｃｅｓｓ  Ｍｅｍｏｒｙ）１１０は、カメラ１００の各ブロックが作業領域として使用する揮発性メモリである。なお、ＤＲＡＭ１１０は、所定期間に読み書き（リード／ライト）できるデータ量（読み出し速度／書き込み速度）に上限があり、その上限を超えてデータの読み書きを行うことができない。なお、ＤＲＡＭ１１０は、ＤＲＡＭとは異なる機構による、高速な揮発性メモリや不揮発性メモリと置き換えることもできる。また、ＲＡＭ１０９とＤＲＡＭ１１０は、同一の記憶装置上に共存してもよい。
【００２１】
ＲＯＭ（Ｒｅａｄ  Ｏｎｌｙ  Ｍｅｍｏｒｙ）１１１は、制御部１０８が実行するプログラムなどを格納する不揮発性の記録媒体であり、例えばフラッシュＲＯＭである。また、制御部１０８は、記録媒体１１６に格納されたプログラムをＲＡＭ１０９にロードし、ＲＡＭ１０９のプログラムを実行してもよい。
【００２２】
装着部１１２は、レンズユニット１０２を着脱可能である。制御部１０８は、装着部１１２からレンズユニット１０２が取り外されたことに応じて、カメラ１００の電源オフを自動的に指示する。
【００２３】
オンスクリーンディスプレイ（ＯＳＤ）部１１３は、各種設定メニューや顔枠などのＯＳＤデータ（表示アイテム）を生成し、ＯＳＤデータをＤＲＡＭ１１０に格納する。
【００２４】
動画像圧縮部１１４は、ＤＲＡＭ１１０に格納されたＹＵＶ形式の映像（動画像）をＭＰＥＧ形式で圧縮し、圧縮された映像をＤＲＡＭ１１０に格納する。
【００２５】
メディア制御部１１５は、ＤＲＡＭ１１０に格納されている圧縮された映像をＦＡＴファイルシステムなどのコンピュータと互換のあるフォーマットに従って、記録媒体１１６に記録する。
【００２６】
記録媒体１１６は、例えば、メモリカードである。記録媒体１１６は、カメラ１００から取り外し可能な着脱可能な記録媒体であり、カメラ１００以外にもパーソナルコンピュータ（ＰＣ）等に装着することができる。
【００２７】
通信制御部１１７は、通信部１１８を制御して、外部機器との通信を行う。制御部１０８が、通信部１１８を介して、外部機器と通信することにより、外部機器がカメラ１００を制御することができる。通信方式は、例えば、無線の赤外線やＷｉ−Ｆｉ、有線のＵＳＢ（Ｕｎｉｖｅｒｓａｌ  Ｓｅｒｉａｌ  Ｂｕｓ）やＬＡＮＣ（Ｌｏｃａｌ  Ａｐｐｌｉｃａｔｉｏｎ  Ｃｏｎｔｒｏｌ  ｂｕｓ  ｓｙｓｔｅｍ）などである。
【００２８】
記録媒体１１６は、第三者の読み出しデータを無効にするためのセキュリティモードを設定可能である。記録媒体１１６は、セキュリティモードが設定されると、カメラ１００の直前の電源オン前に格納された映像ファイルが固定値（例えば０ｘＦＦ）として読み出される。また、記録媒体１１６は、セキュリティモードが設定されている場合、カメラ１００の直前の電源オン後に格納された映像ファイルが正しく読み出される。ただし、記録媒体１１６をカメラ１００から取り外すと、記録媒体１１６への電源供給が遮断され、その後、記録媒体１１６を装着しても、記録媒体１１６の装着前に格納された映像ファイルが固定値として読み出される。スマートフォンは、近距離無線通信（ＮＦＣ）を用いて、記録媒体１１６に対し、セキュリティモードの設定や解除が可能である。
【００２９】
レンズユニット１０２は、カメラ１００に対して取り外し可能である。レンズユニット１０２の取り外し時に、カメラ１００の電源をオフにするように、取扱説明書で指定されている場合がある。また、カメラ１００は、電源のオンが撮影モードと再生モードに別れ、撮影モードと再生モードとの間の切り替えの際に電源のオフを経由するスイッチを備える場合がある。その場合、撮影モードから再生モードへのスイッチ操作を素早く行わないと、一旦、カメラ１００の電源がオフになってしまう。カメラ１００の電源をオフにした場合、記録媒体１１６への電源供給が遮断されてしまう。このような場合、記録媒体１１６がセキュリティモードに指定されている場合、直前に撮影した映像を再生（閲覧）することができなくなり、使い勝手が悪い。そこで、以下、セキュリティモードが指定された記録媒体１１６への電源供給が遮断されても、直前に撮影した映像を再生することができるカメラ１００を説明する。
【００３０】
続いて、図２（ａ）、（ｂ）および図３（ａ）〜（ｅ）のフローチャートに基づいて、カメラ１００の制御方法を説明する。制御部１０８は、ＲＯＭ１１１に格納されたプログラムを実行し、カメラ１００の各部を制御することにより、図２（ａ）、（ｂ）および図３（ａ）〜（ｅ）の処理を行う。
【００３１】
図２（ａ）は、カメラ１００の制御方法を示すフローチャートである。ステップＳ２０１では、制御部１０８は、ユーザが操作部１０７を操作し、撮影の実行が指示されると、映像の撮影を実行し、ステップＳ２０２に進む。制御部１０８は、操作部１０７の操作に応じて、撮影した映像を記録媒体１１６に記録する。
【００３２】
ステップＳ２０２では、制御部１０８は、カメラ１００に装着されている記録媒体１１６がセキュリティモードであるか否かを判定する。例えば、制御部１０８は、カメラ１００に設定された情報を用いて、記録媒体１１６がセキュリティモードであるか否かを判定する。また、制御部１０８は、記録媒体１１６に記録されている映像ファイルを読み出し、読み出した映像ファイルのデータが固定値（例えば０ｘＦＦ）である場合には、記録媒体１１６がセキュリティモードであると判定してもよい。また、制御部１０８は、読み出した映像ファイルのデータが固定値でない場合には、記録媒体１１６がセキュリティモードでないと判定してもよい。制御部１０８は、記録媒体１１６がセキュリティモードであると判定した場合には、ステップＳ２０３に進み、記録媒体１１６がセキュリティモードでないと判定した場合には、ステップＳ２０５に進む。
【００３３】
ステップＳ２０３では、制御部１０８は、上記の撮影した映像を記録媒体１１６に記録したか否かを判定する。制御部１０８は、撮影した映像を記録媒体１１６に記録したと判定した場合には、ステップＳ２０４に進み、撮影した映像を記録媒体１１６に記録していないと判定した場合には、ステップＳ２０５に進む。
【００３４】
ステップＳ２０４では、制御部１０８は、電源供給フラグに１を設定し、ステップＳ２０５に進む。なお、電源供給フラグの初期値は０である。ステップＳ２０５では、制御部１０８は、図２（ａ）の処理を終了する。
【００３５】
図２（ｂ）は、カメラ１００の制御方法を示すフローチャートである。ステップＳ２１１では、カメラ１００は、操作部１０７の操作等により、カメラ１００の電源オフが指示された場合には、カメラ１００の電源オフ状態に設定し、ステップＳ２１２に進む。
【００３６】
例えば、操作部１０７は、電源スイッチを有する。制御部１０８は、ユーザ操作により操作部１０７の電源スイッチが電源オフに対応する位置に移動されたことに応じて、ステップＳ２１２に進む。また、制御部１０８は、装着部１１２からレンズユニット１０２が取り外されたことに応じて、カメラ１００の電源オフを自動的に指示し、ステップＳ２１２に進む。
【００３７】
ステップＳ２１２では、制御部１０８は、電源供給フラグが１であるか否かを判定する。制御部１０８は、電源供給フラグが１である場合には、記録媒体１１６への電源供給を継続し、レンズユニット１０２への電源供給を停止させるように制御し、ステップＳ２１４に進む。また、制御部１０８は、電源供給フラグが０である場合には、ステップＳ２１３に進む。
【００３８】
ステップＳ２１３では、制御部１０８は、記録媒体１１６への電源供給を停止し、レンズユニット１０２への電源供給を停止させるように制御し、ステップＳ２１４に進む。ステップＳ２１４では、図２（ｂ）の処理を終了する。
【００３９】
ここで、記録媒体１１６への電源供給を停止する場合に、ステップＳ２１３の処理を行い、記録媒体１１６への電源供給を継続する場合に処理を行わない例で説明したが、ソフトウェア構成やハードウェア構成によっては、その逆でもよい。具体的には、記録媒体１１６への電源供給を停止する場合に処理を行わず、記録媒体１１６への電源供給を継続する場合に処理を行ってもよい。
【００４０】
図３（ａ）は、カメラ１００の制御方法を示すフローチャートである。ステップＳ３０１では、制御部１０８は、カメラ１００の電源オン時または電源オフ時に、記録媒体１１６がカメラ１００から取り外されたことを検出した場合に、ステップＳ３０２に進む。
【００４１】
ステップＳ３０２では、制御部１０８は、電源供給フラグに０を設定し、ステップＳ３０３に進む。
【００４２】
ステップＳ３０３では、制御部１０８は、カメラ１００の電源オフ状態が設定されているか否かを判定する。制御部１０８は、カメラ１００の電源オフ状態が設定されている場合には、ステップＳ３０４に進み、カメラ１００の電源オフ状態が設定されていない場合には、ステップＳ３０５に進む。
【００４３】
ステップＳ３０５では、制御部１０８は、記録媒体１１６への電源供給を停止させるように制御し、ステップＳ３０５に進む。ステップＳ３０５では、制御部１０８は、図３（ａ）の処理を終了する。
【００４４】
ここで、ステップＳ３０４では、制御部１０８は、実際に記録媒体１１６への電源供給を行っていなかった場合には、記録媒体１１６への電源供給を停止する処理をしなくてもよいし、処理をしても問題ない場合は処理してもよい。
【００４５】
図３（ｂ）は、カメラ１００の制御方法を示すフローチャートである。ステップＳ３１１では、制御部１０８は、カメラ１００の電源オフ状態が設定されている場合には、ステップＳ３１２に進む。
【００４６】
ステップＳ３１２では、制御部１０８は、カメラ１００の電源オフが指示されてから所定の時間が経過したか否かを判定する。制御部１０８は、所定の時間が経過した場合には、ステップＳ３１３に進み、所定の時間が経過していない場合には、ステップＳ３１５に進む。ステップＳ３１５では、制御部１０８は、図３（ｂ）の処理を終了し、一定時間経過後に、再び、図３（ｂ）の処理を開始する。
【００４７】
ステップＳ３１３では、制御部１０８は、電源供給フラグに０を設定し、ステップＳ３１４に進む。
【００４８】
ステップＳ３１４では、制御部１０８は、記録媒体１１６への電源供給を停止させるように制御し、ステップＳ３０５に進む。ステップＳ３０５では、制御部１０８は、図３（ｂ）の処理を終了する。
【００４９】
ここで、ステップＳ３０４では、制御部１０８は、実際に記録媒体１１６への電源供給を行っていなかった場合には、記録媒体１１６への電源供給を停止する処理をしなくてもよいし、処理をしても問題ない場合には処理してもよい。
【００５０】
図３（ｂ）の処理の効果を説明する。カメラ１００の電源オフ状態が設定されている場合、制御部１０８が記録媒体１１６への電源供給を継続するのは、バッテリを消耗させることになる。制御部１０８は、電源オフの指示から所定の時間が経過した場合には、記録媒体１１６の使用が終了したと判断し、ステップＳ３１４で、記録媒体１１６への電源供給を停止する。これにより、バッテリの消耗を防止することができる。
【００５１】
図３（ｃ）は、カメラ１００の制御方法を示すフローチャートである。ステップＳ３２１では、制御部１０８は、記録媒体１１６に記録されている映像を削除する指示（記録媒体１１６を初期化する指示を含む）がされた場合には、記録媒体１１６に記録されている映像を削除し、ステップＳ３２２に進む。
【００５２】
ステップＳ３２２では、制御部１０８は、記録媒体１１６に再生できる映像が存在するか否かを判定する。再生できない映像は、カメラ１００の電源オン前に記録された映像であり、固定値（例えば０ｘＦＦ）として読み出される映像である。再生できる映像は、カメラ１００の電源オン後に記録された映像であり、適正な映像として読み出される。
【００５３】
制御部１０８は、記録媒体１１６に再生できる映像が存在する場合には、ステップＳ３２４に進み、記録媒体１１６に再生できる映像が存在しない場合には、ステップＳ３２３に進む。
【００５４】
すなわち、制御部１０８は、記録媒体１１６に記録されている映像を削除し、記録媒体１１６に再生できる映像が残っていない場合には、ステップＳ３２３に進み、記録媒体１１６に再生できる映像が残っている場合には、ステップＳ３２４に進む。
【００５５】
ステップＳ３２３では、制御部１０８は、電源供給フラグに０を設定し、ステップＳ３２４に進む。ステップＳ３２４では、制御部１０８は、図３（ｃ）の処理を終了する。
【００５６】
図３（ｄ）は、カメラ１００の制御方法を示すフローチャートである。ステップＳ３３１では、制御部１０８は、カメラ１００の電源オフ状態が設定されている場合には、ステップＳ３３２に進む。
【００５７】
ステップＳ３３２では、制御部１０８は、リモコン（外部機器）のリモート制御の通信を基にカメラ１００の電源オフが指示されたか否かを判定する。制御部１０８は、リモコンのリモート制御の通信を基にカメラ１００の電源オフが指示された場合には、ステップＳ３３３に進み、リモコンのリモート制御の通信を基にカメラ１００の電源オフが指示されていない場合には、ステップＳ３３６に進む。
【００５８】
ステップＳ３３３では、制御部１０８は、リモコンのリモート制御の通信を基にカメラ１００の電源オンが指示可能であるか否かを判定する。例えば、制御部１０８は、カメラ１００の電源オフの指示後に、通信部１１８を介してリモコンとの通信を維持する場合には、リモコンのリモート制御の通信を基にカメラ１００の電源オンが指示可能であると判定する。また、制御部１０８は、カメラ１００の電源オフの指示後に、通信部１１８を介してリモコンとの通信を切断する場合には、リモコンのリモート制御の通信を基にカメラ１００の電源オンが指示可能でないと判定する。制御部１０８は、リモコンのリモート制御の通信を基にカメラ１００の電源オンが指示可能である場合には、ステップＳ３３６に進み、リモコンのリモート制御の通信を基にカメラ１００の電源オンが指示可能でない場合には、ステップＳ３３４に進む。
【００５９】
ステップＳ３３４では、制御部１０８は、電源供給フラグを０に設定し、ステップＳ３３５に進む。
【００６０】
ステップＳ３３５では、制御部１０８は、記録媒体１１６への電源供給を停止させるように制御し、ステップＳ３３６に進む。ステップＳ３３６では、制御部１０８は、図３（ｄ）の処理を終了する。
【００６１】
図３（ｄ）の処理の効果を説明する。制御部１０８は、リモコンを基にカメラ１００の電源オフ状態を設定した状態において、カメラ１００の使用が続いている間は、リモコンを基にカメラ１００の電源オン状態を設定すると予想できる。しかし、カメラ１００の電源オフ状態後に、通信が切断される場合には、カメラ１００の使用が終了した可能性が高いので、制御部１０８は、記録媒体１１６への電源供給を停止することで、バッテリの消耗を抑えることができる。
【００６２】
図３（ｅ）は、カメラ１００の制御方法を示すフローチャートである。ステップＳ３４１では、制御部１０８は、操作部１０７の電源スイッチによりカメラ１００の電源オフが指示された場合には、カメラ１００の電源オフ状態を設定し、ステップＳ３４２に進む。また、制御部１０８は、図２（ｂ）のステップＳ２１４の後、ステップＳ３４２に進んでもよい。
【００６３】
ステップＳ３４２では、制御部１０８は、操作部１０７の電源スイッチが操作方法により意図せずに電源オフしてしまうタイプの電源スイッチであるか否かを判定する。例えば、制御部１０７は、図４（ａ）〜（ｃ）に示すように、電源スイッチが記録モードと再生モードとの間に電源オフがあるような３ポジションスイッチである場合には、操作方法により意図せずに電源オフしてしまうタイプの電源スイッチであると判定する。
【００６４】
操作部１０７の電源スイッチは、図４（ａ）のカメラ１００を記録モードで動作させるための位置と、図４（ｂ）のカメラ１００の電源をオフにするための位置と、図４（ｃ）のカメラ１００を再生モードで動作させるための位置に移動可能である。電源スイッチにおいて、図４（ｂ）の電源オフの位置は、図４（ａ）の記録モードの位置と図４（ｃ）の再生モードの位置の間の位置である。
【００６５】
ユーザが図４（ａ）の電源スイッチの記録モードから図４（ｃ）の再生モードにゆっくり切り替えると、電源オフの意図がなくても、その間に、図４（ｂ）の電源スイッチの電源オフが指示されてしまう。このような電源スイッチの場合は、カメラ１００の使用中にもかかわらず、記録媒体１１６への電源供給が停止され、直前に記録した映像が再生できなくなってしまう。
【００６６】
これに対し、制御部１０８は、操作部１０７の電源スイッチが２ポジションスイッチ、タクトスイッチまたはトグルスイッチなどの場合には、操作方法により意図せずに電源オフしてしまうタイプの電源スイッチでないと判定する。制御部１０８は、操作部１０７の電源スイッチが操作方法により意図せずに電源オフしてしまうタイプの電源スイッチである場合には、記録媒体１１６への電源供給を継続し、レンズユニット１０２への電源供給を停止し、ステップＳ３４５に進む。また、制御部１０８は、操作部１０７の電源スイッチが操作方法により意図せずに電源オフしてしまうタイプの電源スイッチでない場合には、ステップＳ３４３に進む。
【００６７】
例えば、制御部１０８は、２ポジションスイッチ、タクトスイッチまたはトグルスイッチによりカメラ１００の電源オフが指示された場合には、ステップＳ３４３に進む。
【００６８】
ステップＳ３４３では、制御部１０８は、電源供給フラグに０を設定し、ステップＳ３４４に進む。
【００６９】
ステップＳ３４４では、制御部１０８は、記録媒体１１６への電源供給を停止させるように制御し、ステップＳ３４５に進む。ステップＳ３４５では、制御部１０８は、図３（ｅ）の処理を終了する。
【００７０】
また、カメラ１００は、図４（ａ）〜（ｃ）のような３ポジション電源スイッチ以外のボタンや、タッチパネル操作により、電源オフのユーザ操作が可能な場合がある。その場合、制御部１０８は、３ポジション電源スイッチの操作による電源オフの指示の場合には、記録媒体１１６への電源供給を継続する。また、制御部１０８は、３ポジション電源スイッチ以外のボタンまたはタッチパネル操作による電源オフの場合には、記録媒体１１６への電源供給を停止する。
【００７１】
すなわち、電源スイッチへの操作とは異なるユーザ操作によりカメラ１００の電源オフが指示された場合は、制御部１０８は、記録媒体１１６への電源供給を停止させるように制御する。
【００７２】
以上のように、カメラ１００は、記録媒体１１６がセキュリティモードである場合に、カメラ１００の電源オフが指示されても、直前に撮影した映像を再生できるので、使い勝手が良くなる。
【００７３】
上記では、記録装置がイメージセンサ１０３を有するカメラ１００である例を説明したが、これに限定されない。記録装置は、入力された画像をリサイズして表示するように制御する電子機器であれば適用可能である。例えば、記録装置は、外部入力端子から入力された映像を、拡大して表示装置に表示するとともに、外部または内蔵の記録媒体に記録するようなレコーダに適用可能である。同様に、記録装置は、パーソナルコンピュータやＰＤＡ、携帯電話端末や携帯型の画像ビューワ、ディスプレイを備えるプリンタ装置、デジタルフォトフレーム、などに適用可能である。また、記録装置は、音楽プレーヤ、ゲーム機、電子ブックリーダ、タブレット端末、スマートフォン、投影装置、ディスプレイを備える家電装置や車載装置などに適用可能である。
【００７４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００７５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００７６】
１０７  操作部、１０８  制御部、１１５  メディア制御部、１１６  記録媒体
【図１】
2020136940.tif 000003
【図２】
2020136940.tif 000004
【図３】
2020136940.tif 000005
【図４】
2020136940.tif 000006